(57)【要約】【課題】あらゆる掃除形態に対応可能な使い勝手のよい電気掃除機を提供する。【解決手段】本発明の電気掃除機は、走行車輪９が設けられた充電台８に掃除機本体１を載置可能に構成され、充電台８に掃除機本体１を載置した状態で交流電源により電動送風機２を駆動する床移動型の電気掃除機としての使用形態と、充電台８から掃除機本体１を取り外して、内蔵された電池６により電動送風機２を駆動する充電形態型の電気掃除機としての使用形態と、を選択可能に構成されている。床移動型では、掃除機本体１にホース３が接続されて使用される。また、充電携帯型では、掃除機本体１にホース３を接続する使用形態に加えて、延長管４を掃除機本体１に直接装着するコードレススティック式の使用形態と、吸込口体５を掃除機本体１に直接装着するコードレスハンディ式の使用形態と、を実現可能に構成されている。【選択図】図４
2015213632.tif 000002
【特許請求の範囲】
【請求項１】
吸引風を発生させる電動送風機と、前記電動送風機を駆動する電池と、を有する掃除機本体と、
前記掃除機本体に着脱自在に構成されたホースと、
前記ホースの前端に接続可能なアタッチメントと、
前記掃除機本体を着脱自在に構成され、前記掃除機本体が装着された状態で前記電池を充電する充電台と、
前記充電台に設けられた走行手段と、
前記充電台と交流電源とを接続する電源コードと、
前記電池から供給される直流電源と前記充電台から供給される交流電源とを択一的に選択して前記電動送風機を駆動する駆動制御回路と、を備え、
前記掃除機本体は、前記ホースを介在させずに前記アタッチメントを装着可能に構成されている電気掃除機。
【請求項２】
前記アタッチメントは、前記電動送風機による吸引力が作用する延長管である請求項１に記載の電気掃除機。
【請求項３】
前記アタッチメントは、前記電動送風機による吸引力が作用する吸込口体である請求項１または請求項２に記載の電気掃除機。
【請求項４】
前記充電台は、前記電源コードを収納するコードリールを備える請求項１から請求項３の何れか１項に記載の電気掃除機。
【請求項５】
前記掃除機本体に設けられた持ち手ハンドルをさらに備える請求項１から請求項４の何れか１項に記載の電気掃除機。
【発明の詳細な説明】
【技術分野】
【０００１】
この発明は、電気掃除機に関する。
【背景技術】
【０００２】
従来、例えば特許文献１には、電気掃除機において、床移動型と携帯型の両方の使用性を向上させるための技術が開示されている。この電気掃除機では、より詳しくは、吸引風を発する電動送風機と電動送風機を駆動する電池とを有する掃除機本体と、電池を充電するための充電回路を有する充電台とを備えている。そして、充電台は走行手段を備えるとともに、掃除機本体と充電台とを着脱自在に構成されている。
【先行技術文献】
【特許文献】
【０００３】
【特許文献１】特開２００４−２２３１３４号公報
【発明の概要】
【発明が解決しようとする課題】
【０００４】
しかしながら、上記特許文献１の電気掃除機では、携帯型として階段または机上などを掃除する場合に、必要のないホース又は延長管が負担となることがある。このため、上記従来の電気掃除機は、充電式掃除機のメリットである携帯性を十分に発揮できるものとはいえず、未だ改善の余地が残されたものであった。
【０００５】
この発明は、上述の課題を解決するためになされたもので、あらゆる掃除形態に対応可能な使い勝手のよい電気掃除機を提供することを目的とする。
【課題を解決するための手段】
【０００６】
この発明に係る電気掃除機は、吸引風を発生させる電動送風機と、電動送風機を駆動する電池と、を有する掃除機本体と、掃除機本体に着脱自在に構成されたホースと、ホースの前端に接続可能なアタッチメントと、掃除機本体を着脱自在に構成され、掃除機本体が装着された状態で電池を充電する充電台と、充電台に設けられた走行手段と、充電台と交流電源とを接続する電源コードと、電池から供給される直流電源と充電台から供給される交流電源とを択一的に選択して電動送風機を駆動する駆動制御回路と、を備え、掃除機本体は、ホースを介在させずにアタッチメントを装着可能に構成されているものである。
【発明の効果】
【０００７】
この発明によれば、ホースを介在させずに本体部に直接アタッチメントを装着することができるので、あらゆる掃除形態に対応可能な使い勝手のよい電気掃除機を提供することが可能となる。
【図面の簡単な説明】
【０００８】
【図１】本発明の実施の形態１における電気掃除機の全体構成図である。
【図２】本発明の実施の形態１における電気掃除機の掃除機本体を示す斜視図である。
【図３】掃除機本体を充電台から切り離した状態を示す図である。
【図４】掃除機本体に延長管を直接装着した図である。
【図５】掃除機本体に吸込口体を直接装着した図である。
【発明を実施するための形態】
【０００９】
以下、図面を参照してこの発明を実施するための形態について説明する。なお、各図中において、同一又は相当する部分には同一の符号を付して、重複する説明は適宜に簡略化ないし省略する。
【００１０】
実施の形態１．
図１は、本発明の実施の形態１における電気掃除機の全体構成図である。また、図２は、本発明の実施の形態１における電気掃除機の掃除機本体を示す斜視図である。なお、図１及び図２では、説明の都合上、掃除機本体の内部を一部透視して示している。
【００１１】
図１または図２に示すように、本発明の実施の形態１における電気掃除機は、吸引風を発生させる電動送風機２が内蔵された掃除機本体１を備えている。掃除機本体１の前部に設けられた吸込口には、中空状かつ蛇腹状に形成されたホース３の後端が接続されている。ホース３の前端には、操作部が設けられた手元ハンドル３１の一端が接続されている。手元ハンドル３１の他端には、アタッチメントである円筒状の延長管４及び床ブラシとしての吸込口体５を着脱可能に構成されている。図１に示す使用形態では、手元ハンドル３１の他端に延長管４の後端が接続され、さらに延長管４の前端に吸込口体５が接続されている。電動送風機２が駆動されると、ホース３、延長管４及び吸込口体５には吸引力が作用し、吸込口体５から塵埃が吸引される。なお、ホース３の手元ハンドル３１には、吸込口体５を直接着脱することも可能に構成されている。また、掃除機本体１の上面部には、操作部が設けられた持ち手ハンドル１３が設けられている。
【００１２】
掃除機本体１の内部には、上述した電動送風機２の駆動を制御するための駆動制御回路１２が内蔵されている。駆動制御回路１２は、電動送風機２を直流電源でも交流電源でも駆動可能に構成されたものである。また、掃除機本体１には、電動送風機２の直流電源としての充電式の電池６が内蔵されている。
【００１３】
また、本実施の形態の電気掃除機は、掃除機本体１を着脱可能に構成された充電台８を備えている。充電台８には、走行手段としての走行車輪９及びキャスター１０と、外部交流電源と接続するための電源コード１１と、が設けられている。電源コード１１は、図示しないコードリールによって充電台８の内部に収納可能に構成されている。掃除機本体１には電池６の充電を制御するための充電回路７が内蔵されている。掃除機本体１が充電台８に載置されると、充電回路７は電池６の充電動作を行う。なお、充電回路７は充電台８の側に内蔵される構成でもよい。
【００１４】
次に、本実施の形態の電気掃除機の特徴的構成について説明する。図１に示すように、本実施の形態の電気掃除機は、掃除機本体１を充電台８に載置することにより、走行手段を備えた床移動型の電気掃除機として使用することができる。この際、駆動制御回路１２は、外部交流電源から電源コード１１を介して供給される交流電源により電動送風機２を駆動する。このため、床移動型の電気掃除機としての使用形態では、電池残量を気にすることなく大きな吸引力による長時間の掃除が可能となる。
【００１５】
また、本実施の形態の電気掃除機は、掃除機本体１を充電台８から切り離して充電式携帯型の電気掃除機として使用することもできる。図３は、掃除機本体を充電台から切り離した状態を示す図である。上述したように、本実施の形態の電気掃除機は、掃除機本体１を充電台８へ着脱自在に構成されている。掃除機本体１が充電台８から外されると、駆動制御回路１２は、電池６から供給される直流電源により電動送風機２を駆動する。このため、充電式携帯型の電気掃除機としての使用形態では、持ち手ハンドル１３を把持してコードレス式の掃除機として使用することができる。また、この使用形態によれば、充電台８に付属している走行車輪９、キャスター１０及び電源コード等の部品を掃除機本体１から切り離すことができるので、軽量化による使い勝手の向上を図ることができる。
【００１６】
ここで、図３に示す充電式携帯型の電気掃除機としての使用形態では、掃除機本体１にホース３が接続され、当該ホース３に更に延長管４及び吸込口体５が接続されている。この場合、階段等の空間が制限された箇所を掃除する場合、または机上等の手元に近い箇所を清掃する場合には、ホース３が煩わしくなることも想定される。また、図３に示す使用形態では、片手で持ち手ハンドル１３を把持するとともに、もう一方の手でホース３の手元ハンドル３１を把持する必要があるため、清掃時に両手が塞がり不便なことも想定される。
【００１７】
そこで、本実施の形態の電気掃除機では、掃除機本体１に延長管４が直接装着される。図４は、掃除機本体に延長管を直接装着した図である。この図に示すように、本実施の形態の電気掃除機では、掃除機本体１を充電台８から外した状態において、吸込口体５が接続された延長管４をホース３を介在させずに掃除機本体１の吸込口に直接装着可能に構成されている。このようなコードレススティック式の電気掃除機としての使用形態によれば、持ち手ハンドル１３を片手で把持するのみで清掃することができるので使い勝手が向上する。
【００１８】
また、本実施の形態の電気掃除機では、掃除機本体１に吸込口体５を直接装着することもできる。図５は、掃除機本体に吸込口体を直接装着した図である。この図に示すように、本実施の形態の電気掃除機では、掃除機本体１を充電台８から外した状態において、ホース３を介在させずに吸込口体５を掃除機本体１の吸込口に直接装着可能に構成されている。このようなコードレスハンディ式の電気掃除機としての使用形態によれば、持ち手ハンドル１３を片手で把持するのみで手元に近い箇所の清掃を行うことができるので、机上等の清掃における使い勝手を有効に向上させることができる。
【００１９】
このように、本発明の実施の形態の電気掃除機によれば、床移動型、コードレススティック式の携帯型、及びコードレスハンディ式の携帯型としての使用形態に対応することができる。このため、本発明によれば、あらゆる掃除シーンにおいても製品１台で賄うことができ、使用性が良く、そして経済性の高い電気掃除機を提供することができる。
【００２０】
ところで、本実施の形態の電気掃除機では、集塵方式について特に言及していないが、サイクロン式、紙パック式またはダイレクト集塵方式等、あらゆる集塵方式の電気掃除機に本発明を適用することができる。
【符号の説明】
【００２１】
１  掃除機本体、２  電動送風機、３  ホース、４  延長管、５  吸込口体、６  電池、７  充電回路、８  充電台、９  走行車輪、１０  キャスター、１１  電源コード、１２  駆動制御回路、１３  持ち手ハンドル、３１  手元ハンドル
【図１】
2015213632.tif 000003
【図２】
2015213632.tif 000004
【図３】
2015213632.tif 000005
【図４】
2015213632.tif 000006
【図５】
2015213632.tif 000007